(57)【要約】【課題】  携帯電話のボタン操作を簡単かつ迅速に行うことができる携帯電話用ボタン操作補助手段を提供するものである。【解決手段】  帯状の本体１２に携帯電話２０の各ボタンを押すための複数のコントロールキー１６，１８ａ，１８ｂ，１８ｃ，１８ｄを固定し、それら複数のコントロールキー１６，１８ａ，１８ｂ，１８ｃ，１８ｄは携帯電話２０の異なるボタンを押すよう配置する。携帯電話２０に本体１２を取付けると、複数のコントロールキーは、携帯電話２０の各ボタンより外方に突出しているので、それらのコントロールキー１６，１８ａ，１８ｂ，１８ｃ，１８ｄを押せば、携帯電話２０の各ボタンの操作を行える。コントロールキー１６，１８ａ，１８ｂ，１８ｃ，１８ｄは迅速に操作ができるので、携帯電話２０をゲーム機として使用することが可能となる。【選択図】        図１
2006262431.tif 000002
【特許請求の範囲】
【請求項１】
本体と、携帯電話のボタンを押すためのものであって前記本体の一方の面に固定される複数のコントロールキーと、前記本体を携帯電話に取付けるための取付け手段とを有することを特徴とする携帯電話用ボタン操作補助手段。
【請求項２】
前記複数のコントロールキーが、中央とその上下左右に十字状態に配置した中央コントロールキー，上部コントロールキー，下部コントロールキー，左側コントロールキー及び右側コントロールキーとの５個のキーを含み、それら５個のキーを携帯電話のそれぞれ異なるボタンに対応する位置に配置したことを特徴とする請求項１記載の携帯電話用ボタン操作補助手段。
【請求項３】
前記複数のコントロールキーが、上下左右に十字状態に配置した上部コントロールキー及び下部コントロールキー備えられる左右に備えられる左側コントロールキー及び右キーと上下に備えられるとの十字状態に配置した４個のキーを含み、それら４個のキーのそれぞれの内側位置を携帯電話の１個の同じボタンに対向する位置に配置し、前記４個のキーのそれぞれの外側位置が前記十字方向の内側位置の１個のボタンとはそれぞれ異なるボタンに対応する位置に配置したことを特徴とする請求項１記載の携帯電話用ボタン操作補助手段。
【請求項４】
前記コントロールキーが前記本体の長手方向またはそれと直角方向のいずれかの方向に平行に配置された２個のキーを含み、それら２個のキーを携帯電話のそれぞれ異なるボタンに対応する位置に配置したことを特徴とする請求項１記載の携帯電話用ボタン操作補助手段。
【請求項５】
前記本体における前記コントロールキーを固定した位置の裏面に携帯電話のボタンを押圧するための押圧用コントロールキーを固定したことを特徴とする請求項１乃至４記載の携帯電話用ボタン操作補助手段。
【請求項６】
前記押圧用コントロールキーの面積を前記コントロールキーの面積より狭くしたことを特徴とする請求項５記載の携帯電話用ボタン操作補助手段。
【請求項７】
前記本体における携帯電話のボタンを覆う箇所を透明としたことを特徴とする請求項１記載の携帯電話用ボタン操作補助手段。
【請求項８】
前記取付け手段を前記本体に固定した一対の面ファスナーとしたことを特徴とする請求項１記載の携帯電話用ボタン操作補助手段。
【請求項９】
前記本体又は前記取付け手段のいずれかに保持用ストラップを固定したことを特徴とする請求項１記載の携帯電話用ボタン操作補助手段。
【発明の詳細な説明】
【技術分野】
【０００１】
本発明は、携帯電話のボタン操作を簡単に行えるようにした携帯電話用ボタン操作補助手段に関する。
【背景技術】
【０００２】
携帯電話に取付けるものとしては、携帯電話が所持者から離れないようにするための保持用ホルダー（特許文献１）が知られている。しかし、その他に携帯電話に取付けるものは何ら知られていない。
【０００３】
【特許文献１】特開２００２−２１８０３７
【発明の開示】
【発明が解決しようとする課題】
【０００４】
携帯電話の小型化が進んでいるため、携帯電話の各種ボタンも小さいサイズになっている。また、携帯電話の各種ボタンの表面は、携帯電話のハウジングの表面とほぼ同じ高さになっている。このため、視力の弱い人や携帯電話の操作に不慣れな人にとっては、各種ボタンが押しにくいという欠点があった。
【０００５】
最近では、携帯電話の画面を利用してゲームを楽しむことが行われている。この際、携帯電話の各種ボタンをゲーム機のコントロールキーとして使用している。しかし、前述のように携帯電話の各種ボタンの表面はハウジングの表面とほぼ同じ高さとなっているため、ゲームに対応して迅速に各種ボタンを操作することができないという欠点があった。更に、携帯電話のどのボタンをコントロールキーとして押せば良いか分かり難いものであった。
【０００６】
本発明は以上の点に鑑みてなされたもので、携帯電話のボタン操作を簡単かつ迅速に行うことができる携帯電話用ボタン操作補助手段を提供することを目的とする。
【課題を解決するための手段】
【０００７】
上記目的を達成するために本発明に係る携帯電話用ボタン操作補助手段は、本体と、携帯電話のボタンを押すためのものであって前記本体の一方の面に固定される複数のコントロールキーと、前記本体を携帯電話に取付けるための取付け手段とを有するものである。本発明は、複数のコントロールキーが、中央とその上下左右に十字状態に配置した中央コントロールキー，上部コントロールキー，下部コントロールキー，左側コントロールキー及び右側コントロールキーとの５個のキーを含み、それら５個のキーを携帯電話のそれぞれ異なるボタンに対応する位置に配置するようにしたものである。本発明は、複数のコントロールキーが、上下左右に十字状態に配置した上部コントロールキー及び下部コントロールキー備えられる左右に備えられる左側コントロールキー及び右キーと上下に備えられるとの十字状態に配置した４個のキーを含み、それら４個のキーのそれぞれの内側位置を携帯電話の１個の同じボタンに対向する位置に配置し、前記４個のキーのそれぞれの外側位置が前記十字方向の内側位置の１個のボタンとはそれぞれ異なるボタンに対応する位置に配置するようにしたものである。本発明は、コントロールキーが本体の長手方向またはそれと直角方向のいずれかの方向に平行に配置された２個のキーを含み、それら２個のキーを携帯電話のそれぞれ異なるボタンに対応する位置に配置するようにしたものである。本発明は、本体におけるコントロールキーを固定した位置の裏面に携帯電話のボタンを押圧するための押圧用コントロールキーを固定するようにしたものである。本発明は、押圧用コントロールキーの面積をコントロールキーの面積より狭くしたものである。本発明は、本体における携帯電話のボタンを覆う箇所を透明としたものである。本発明は、取付け手段を本体に固定した一対の面ファスナーとしたものである。本発明は、本体又は取付け手段のいずれかに保持用ストラップを固定したものである。
【発明の効果】
【０００８】
本発明に係る携帯電話用ボタン操作補助手段は、携帯電話の各種ボタンの表面より外方に突出したコントロールキーを備えているので、視力の弱い人でも携帯電話の操作に不慣れな人でも、目で見ても手で触っても容易にコントロールキーを判別することができる。このため、ボタン操作補助手段のコントロールキーを押すことで、携帯電話の各種ボタンを直接押すことよりも操作が簡単でしかも確実かつ迅速に携帯電話の各種ボタンを押すことができる。また、携帯電話をゲーム機として使用する場合には、携帯電話用ボタン操作補助手段のコントロールキーは操作キーとなるので、操作箇所を探すことなく明確に操作キーを特定できる。しかも、コントロールキーは携帯電話よりも外方に突出しているので、ゲームに対応した迅速な操作が可能となる。更に、本発明に係る携帯電話用ボタン操作補助手段は、携帯電話のストラップとして、特に連結手段を兼ねるストラップとして使用することができる。
【０００９】
本発明に係る携帯電話用ボタン操作補助手段は、５個または４個の十字状態に配置したコントロールキーを備えるので、携帯電話をゲーム機として使用する場合に、５個または４個の十字状態に配置したコントロールキーを一般のゲーム機の十字キーとして使用することができ、従来から使用しているゲーム機のコントロールキーと同じものとして使用することができる。また、十字キーを有する携帯電話用ボタン操作補助手段を２個使用するか、あるいは十字キーを有する携帯電話用ボタン操作補助手段と共に右手操作用キー及び左手操作用キーを有する携帯電話用ボタン操作補助手段を使用すれば、ゲーム機に備えられる全てのコントロールキーを備えることができ、携帯電話を使用して全ての種類のゲームを楽しむことができる。
【００１０】
本発明に係る携帯電話用ボタン操作補助手段は、本体に固定したコントロールキーの裏面に携帯電話のボタンを押圧する押圧用コントロールキーを固定することで、コントロールキーを軽く操作しても押圧用コントロールキーが携帯電話のボタンを押すので、操作の確実性と操作に対応する反応速度を速くすることができる。また、押圧用コントロールキーの横方向の大きさをコントロールキーの横方向の大きさより相対的に小さくすることで、携帯電話の各種ボタンが小さくてもコントロールキーの大きさを各種ボタンよりも大きくすることができ、操作が確実でかつ操作をし易くすることができる。更に、本体における携帯電話のボタンを覆う箇所を透明とすることで、コントロールキーを配置したボタン以外のボタンが判別でき、他のボタンも間違わずに押すことができる。その上、取付け手段を本体に固定した一対の面ファスナーとすることで、携帯電話用ボタン操作補助手段の携帯電話への着脱が容易となる。また、本体か取付け手段いずれかに保持用ホルダーを固定することで、携帯電話や携帯電話用ボタン操作補助手段の紛失を防止することができる。
【発明を実施するための最良の形態】
【００１１】
本発明の携帯電話用ボタン操作補助手段は、携帯電話に取付けることで、携帯電話の各種ボタンの表面より外方にコントロールキーを突出させるもので、そのコントロールキーの操作によって携帯電話の各種ボタンの操作を容易に行わせることができる。
【実施例１】
【００１２】
次に本発明を図面に基づいて説明する。図１は本発明に係る携帯電話用ボタン操作補助手段の一実施例を示す正面図、図２は図１の背面図、図３は図１のＡ−Ａ断面図、図４は図１の携帯電話用ボタン操作補助手段の取付け手段を取付けた状態を示す組立て図である。携帯電話用ボタン操作補助手段１０（以下“ボタン操作補助手段１０”とする）は、帯状の本体１２と、その本体１２の両端に固定される取付け手段１４ａ，１４ｂとを有する。取付け手段１４ａ，１４ｂは、本体１２の両端に固定される面ファスナー（一般にはマジックテープ（登録商標）として知られている）が望ましいが、本体１２を携帯電話に着脱自在に取付けるものであれば本体１２に固定されるものや面ファスナーに限るものではない。本体１２の一方側の面に、複数個のコントロールキー（コントロールボタン）を固定する。図１に示すように、コントロールキーは、中央コントロールキー１６と、中央コントロールキー１６の上方の上部コントロールキー１８ａと、中央コントロールキー１６の下方の下部コントロールキー１８ｂと、中央コントロールキー１６の左側の左側コントロールキー１８ｃと、中央コントロールキー１６の右側の右側コントロールキー１８ｄとの５個のキーを含む。上部コントロールキー１８ａと下部コントロールキー１８ｂと左側コントロールキー１８ｃと右側コントロールキー１８ｄはそれぞれ、外側から中央コントロールキー１６側に向かうにつれて横幅が順に狭くなるように設定する。これによって、中央コントロールキー１６と、上部コントロールキー１８ａ，下部コントロールキー１８ｂ，左側コントロールキー１８ｃ，右側コントロールキー１８ｄとが、同時に押されることを極力防止することができる。
【００１３】
図５に示すように、携帯電話２０には、メニューを表示するメニューボタン２２と、そのメニューボタン２２の周囲に備えられる環状の４接点ボタン２４（４種類のスイッチと連動しているで、４個のボタンとみなすことができる）と、その他の操作ボタンや数字ボタン等の各種ボタン２６が備えられている。図６並びに図４に示すように、ボタン操作補助手段１０の本体１２をメニューボタン２２と４接点ボタン２４とを覆うと共に、取付け手段１４ａと取付け手段１４ｂとをくっつけることで本体１２を携帯電話２０に固定した場合、中央コントロールキー１６はメニューボタン２２に合致するように設定し、上部コントロールキー１８ａは４接点ボタン２４の上部位置（上部スイッチ）と合致するように設定し、下部コントロールキー１８ｂは４接点ボタン２４の下部位置（下部スイッチ）と合致するように設定し、左側コントロールキー１８ｃは４接点ボタン２４の左側位置（左側スイッチ）と合致するように設定し、右側コントロールキー１８ｄは４接点ボタン２４の右側位置（右側スイッチ）と合致するように設定する。即ち、中央コントロールキー１６と上部コントロールキー１８ａと下部コントロールキー１８ｂと左側コントロールキー１８ｃと右側コントロールキー１８ｄの５個のコントロールキーは、携帯電話のそれぞれ異なるボタンに対応する位置に配置する。この状態で、中央コントロールキー１６を押すとメニューボタン２２が押され、上部コントロールキー１８ａを押すと４接点ボタン２４の上部スイッチが押され、下部コントロールキー１８ｂを押すと４接点ボタン２４の下部スイッチが押され、左側コントロールキー１８ｃを押すと４接点ボタン２４の左側スイッチが押され、右側コントロールキー１８ｄを押すと４接点ボタン２４の右側スイッチが押される。
【００１４】
ボタン操作補助手段１０は、主には、メニューボタン２２と４接点ボタン２４とを覆うように携帯電話２０に取付けるものである。中央コントロールキー１６と上部コントロールキー１８ａと下部コントロールキー１８ｂと左側コントロールキー１８ｃと右側コントロールキー１８ｄとの５つのキーは携帯電話２０のメニューボタン２２と４接点ボタン２４より上方に突出した状態となっているため、ボタン操作補助手段１０を携帯電話２０に取付けることによって、メニューボタン２２と４接点ボタン２４の操作がし易くなる。視力の弱い人や不慣れな人にとって、ボタン操作補助手段１０を携帯電話２０に取付ければ、メニューボタン２２と４接点ボタン２４との操作が容易となる。ボタン操作補助手段１０はその他に、携帯電話２０をゲーム機として使用する場合に用いることができる。この場合には、ボタン操作補助手段１０はゲーム機における十字キー（５個のキー）として使用する。ゲーム機における十字キーは迅速な操作が求められるものであり、このボタン操作補助手段１０を用いることにより、ゲームに対応して速い速度で携帯電話２０のボタンを操作することができる。１０を１２に取付ける際に、各種キー１６，１８ａ，１８ｂ，１８ｃ，１８ｄを外側に向けて配置するのが一般的であるが、各種キー１６，１８ａ，１８ｂ，１８ｃ，１８ｄを内側に向けて配置してもよい。
【００１５】
ボタン操作補助手段１０は、携帯電話２０のストラップとしても使用できるものである。図７に示すように、携帯電話２０にボタン操作補助手段１０の本体１２が挿通できる空間２５を形成した金具２７を取付ける。その金具２７の空間２５にボタン操作補助手段１０の本体１２を通して、本体１２の両端の取付け手段１４ａと取付け手段１４ｂとを接合固定させる。これによって、ボタン操作補助手段１０は携帯電話２０のストラップとして使用できる。この際、ボタン操作補助手段１０の本体１２をバッグ（図示せず）等の把手２９も同時に通すことによって、バッグ（図示せず）等と携帯電話２０とがボタン操作補助手段１０によって連結され、携帯電話２０の紛失を防止することができる。即ち、本発明に係る携帯電話用ボタン操作補助手段１０は、連結手段を兼ねるストラップとして使用することができる。
【００１６】
ボタン操作補助手段１０は、主には、携帯電話２０のメニューボタン２２と４接点ボタン２４の操作に用いるが、例えば携帯電話２０の１〜９までの数字ボタン２６のうちの５個のボタンを使用する場合に用いるようにしても良い。図６に示すように、例えば１〜９までの数字ボタンを覆うようにボタン操作補助手段１０を携帯電話２０に取付けた場合で、中央コントロールキー１６は数字ボタン“５”に合致させた場合に、上部コントロールキー１８ａは数字ボタン“２”と合致し、下部コントロールキー１８ｂは数字ボタン“８”と合致し、左側コントロールキー１８ｃは数字ボタン“８”と合致し、右側コントロールキー１８ｄは数字ボタン“６”と合致するように各コントロールキー１６，１８ａ，１８ｂ，１８ｃ，１８ｄを配置する。即ち、中央コントロールキー１６を押すと数字ボタン“５”が押され、上部コントロールキー１８ａを押すと数字ボタン“２”が押され、下部コントロールキー１８ｂを押すと数字ボタン“８”が押され、左側コントロールキー１８ｃを押すと数字ボタン“８”が押され、右側コントロールキー１８ｄを押すと数字ボタン“６”が押されるように、各コントロールキー１６，１８ａ，１８ｂ，１８ｃ，１８ｄの位置を設定する。
【００１７】
図６には、１個のボタン操作補助手段１０を携帯電話２０のメニューボタン２２と４接点ボタン２４とを覆うように携帯電話２０に取付けると共に、もう１個のボタン操作補助手段１０を携帯電話２０の１〜９までの数字ボタン２６を覆うように取付けた状態を示す。このように、携帯電話２０に５個のコントロールキーを有するボタン操作補助手段１０を２個取付ければ、ゲーム機用の２個の十字キーとして使用することができる。なお、図６ではボタン操作補助手段１０を携帯電話２０に２個取付けているが、２個のボタン操作補助手段１０の本体１２を１つのものに合体して１個のボタン操作補助手段としても良い。
【００１８】
ここで、図１乃至図３に示すように、本体１２の裏面に、中央コントロールキー１６と上部コントロールキー１８ａと下部コントロールキー１８ｂと左側コントロールキー１８ｃと右側コントロールキー１８ｄとの５つのキーに対応する位置に、中央押圧用コントロールキー２８と上部押圧用コントロールキー３０ａと下部押圧用コントロールキー３０ｂと左側押圧用コントロールキー３０ｃと右側押圧用コントロールキー３０ｄとを固定する。これら中央押圧用コントロールキー２８と上部押圧用コントロールキー３０ａと下部押圧用コントロールキー３０ｂと左側押圧用コントロールキー３０ｃと右側押圧用コントロールキー３０ｄの厚みは、中央コントロールキー１６と上部コントロールキー１８ａと下部コントロールキー１８ｂと左側コントロールキー１８ｃと右側コントロールキー１８ｄの厚みより薄くするのが望ましい。これら中央押圧用コントロールキー２８と上部押圧用コントロールキー３０ａと下部押圧用コントロールキー３０ｂと左側押圧用コントロールキー３０ｃと右側押圧用コントロールキー３０ｄは、中央コントロールキー１６と上部コントロールキー１８ａと下部コントロールキー１８ｂと左側コントロールキー１８ｃと右側コントロールキー１８ｄのそれぞれを押した場合に、それぞれ携帯電話２０の各ボタンに直接接触しているため、携帯電話２０の各ボタンの操作精度が向上し、操作速度が速くなる利点がある。
【００１９】
携帯電話２０の各種ボタン２６の大きさ（面積）は限定されており、各種ボタン２６の周囲は、携帯電話２０ハウジング３１に囲まれている（図５）。このため、各コントロールキーと１６，１８ａ，１８ｂ，１８ｃ，１８ｄの横方向の大きさ（面積）と各押圧用コントロールキー２８，３０ａ，３０ｂ，３０ｃ，３０ｄの横方向の大きさ（面積）を同じにした場合で、ボタン操作補助手段１０を携帯電話２０に取付けた場合に、各押圧用コントロールキー２８，３０ａ，３０ｂ，３０ｃ，３０ｄが携帯電話２０の各種ボタン２６に合致しないで、ハウジング３１の位置に対面するおそれがある。これに対して、各押圧用コントロールキー２８，３０ａ，３０ｂ，３０ｃ，３０ｄの横方向の大きさを各種ボタン２６の大きさより小さくして、各コントロールキー１６，１８ａ，１８ｂ，１８ｃ，１８ｄの大きさを各種ボタン２６の大きさより大きくすれば、各コントロールキーと１６，１８ａ，１８ｂ，１８ｃ，１８ｄの大きさを大きくした状態で、確実に各種ボタン２６を押すことができる。なお、各押圧用コントロールキー２８，３０ａ，３０ｂ，３０ｃ，３０ｄを備えずに、各コントロールキー１６，１８ａ，１８ｂ，１８ｃ，１８ｄのみを備えるようにしても良い。その場合、各コントロールキー１６，１８ａ，１８ｂ，１８ｃ，１８ｄを携帯電話２０の各ボタン２２，２４，２６側に対面させて使用するようにしても良い。
【００２０】
帯状の本体１２は透明とする。これによって、携帯電話２０の各種ボタン２６をボタン操作補助手段１０の本体１２で覆っても、透明の本体１２を通して各種ボタン２６を見ることができるので、携帯電話２０の他のボタンも操作することができる。
【実施例２】
【００２１】
次に、他の携帯電話用ボタン操作補助手段を図８乃至図１０に示す。図１に示したボタン操作補助手段１０では、５個のコントロールキーを有する例を示したが、この実施例では携帯電話用ボタン操作補助手段は４個のコントロールキーを有するものを示す。図８乃至図１０において、図１乃至図３と同一符号は同一部材を示す。携帯電話用ボタン操作補助手段３２（以下“ボタン操作補助手段３２”とする）は、帯状の本体１２と、その本体１２の両端に固定される取付け手段としての面ファスナー等の取付け手段１４ａ，１４ｂとを有する。本体１２の一方側の面に、４個のコントロールキーを固定する。図８に示すコントロールキーは十字状態に配置された４個のキーを含むもので、それら４個のキーは上方の上部コントロールキー３４ａと、下方の下部コントロールキー３４ｂと、左側の左側コントロールキー３４ｃと、右側の右側コントロールキー３４ｄとから成る。
【００２２】
上方の上部コントロールキー３４ａと、下方の下部コントロールキー３４ｂと、左側の左側コントロールキー３４ｃと、右側の右側コントロールキー３４ｄとは、十字の中央位置で互いにほぼ接近する位置まで伸びている。図１１に示すように、ボタン操作補助手段３２を携帯電話２０に取付けた状態においては、上部コントロールキー３４ａと下部コントロールキー３４ｂと左側コントロールキー３４ｃ右側コントロールキー３４ｄとのそれぞれにおける十字の中央位置側は、メニューボタン２２の位置に対応する。即ち、４個のキー３４ａ，３４ｂ，３４ｃ，３４ｄのそれぞれの内側位置を携帯電話２０の１個の同じボタンに対向する位置に配置するよう設定する。上部コントロールキー３４ａにおける中央位置とは反対側の位置は４接点ボタン２４の上部位置に合致する。下部コントロールキー３４ｂにおける中央位置とは反対側の位置は４接点ボタン２４の下部位置に合致する。左側コントロールキー３４ｃにおける中央位置とは反対側の位置は４接点ボタン２４の左側位置に合致する。右側コントロールキー３ｄにおける中央位置とは反対側の位置は４接点ボタン２４の右側位置に合致する。
【００２３】
上部コントロールキー３４ａと下部コントロールキー３４ｂと左側コントロールキー３４ｃ右側コントロールキー３４ｄとのそれぞれにおける十字の集合位置（図８の位置３６）同時に押せば、メニューボタン２２が押される。上部コントロールキー３４ａにおける集合位置とは反対側の位置を押すと４接点ボタン２４の上部スイッチが押され、下部コントロールキー３４ｂにおける集合位置とは反対側の位置を押すと４接点ボタン２４の下部スイッチが押され、左側コントロールキー３４ｃにおける集合位置とは反対側の位置を押すと４接点ボタン２４の左側スイッチが押され、右側コントロールキー３４ｄにおける集合位置とは反対側の位置を押すと４接点ボタン２４の右側スイッチが押される。
【００２４】
図１１に、ボタン操作補助手段３４をメニューボタン２２と４接点ボタン２４とを覆うように携帯電話２０に取付けた状態を示す。上部コントロールキー３４ａと下部コントロールキー３４ｂと左側コントロールキー３４ｃ右側コントロールキー３４ｄとの４個のコントロールキーの操作によって、メニューボタン２２と４接点ボタン２４とを操作することができる。即ち、このボタン操作補助手段３４は実施例１のボタン操作補助手段１０と同様に、５個のボタンを操作することができる。
【００２５】
図９及び図１０に示すように、ボタン操作補助手段３４における上部コントロールキー３４ａと下部コントロールキー３４ｂと左側コントロールキー３４ｃ右側コントロールキー３４ｄを固定した面の裏側には、それぞれ上部押圧用コントロールキー３４ａと下部押圧用コントロールキー３４ｂと左側押圧用コントロールキー３４ｃと右側押圧用コントロールキー３４ｄとが固定される。これら上部押圧用コントロールキー３４ａと下部押圧用コントロールキー３４ｂと左側押圧用コントロールキー３４ｃと右側押圧用コントロールキー３４ｄは、上部コントロールキー３４ａと下部コントロールキー３４ｂと左側コントロールキー３４ｃ右側コントロールキー３４ｄと比べて高さが低く、横方向の長さを短く（面積を狭く）しても良い。なお、４個の上部コントロールキー３４ａと下部コントロールキー３４ｂと左側コントロールキー３４ｃ右側コントロールキー３４ｄで携帯電話２０の５個のボタンを操作したが、それら４個のキー３４ａ，３４ｂ，３４ｃ，３４ｄで携帯電話２０の４個のボタンを操作するようにしても良い。
【００２６】
実施例２のボタン操作補助手段３４においても、４個のキー３４ａ，３４ｂ，３４ｃ，３４ｄは携帯電話２０のメニューボタン２２と４接点ボタン２４より外方に突出した状態となっているため、ボタン操作補助手段１０を携帯電話２０に取付けることによって、視力の弱い人や不慣れな人にとってメニューボタン２２と４接点ボタン２４の操作がし易くなる。携帯電話２０をゲーム機として使用する場合に、ボタン操作補助手段３２を携帯電話２０に取付ければ、ボタン操作補助手段３２はゲーム機における十字キー（５個のキー）として使用することができる。ゲーム機における十字キーは速い操作が求められるものであり、このボタン操作補助手段１０を用いることにより、ゲームに対応する速い速度で携帯電話２０のボタンを操作することができる。
【実施例３】
【００２７】
次に、他の携帯電話用ボタン操作補助手段を図１２及び図１３に示す。図１２及び図１３に示す携帯電話用ボタン操作補助手段４０（以下“ボタン操作補助手段４０”とする）は、図１に示したボタン操作補助手段１０や図８に示したボタン操作補助手段３２と共に、携帯電話２０に取付けて使用するものであり、２個のコントロールキーを有するものである。図１２及び図１３において、図１乃至図３と同一符号は同一部材を示す。ボタン操作補助手段４０は、帯状の本体１２と、その本体１２の両端に固定されるジックテープ等の取付け手段１４ａ，１４ｂとを有する。本体１２の一方の面に２個のコントロールキー４２ａ，４２ｂを固定する。なお、本体１２の裏面における２個のコントロールキー４２ａ，４２ｂの対応位置に、押圧用コントロールキー４４ａ，４４ｂを固定する。
【００２８】
携帯電話２０にボタン操作補助手段４０を取付けた場合に、例えばコントロールキー４２ａは数字ボタン“５”（あるいは数字ボタン“２”）に該当し、コントロールキー４２ｂは数字ボタン“０”
（あるいは数字ボタン“８”）に該当するように、コントロールキー４２，４４の間隔を設定する。２個のコントロールキー４２ａ，４２ｂの配置は、図１２に示すものではなく、例えば、コントロールキー４２ａは数字ボタン“７”（あるいは数字ボタン“４”）に該当し、コントロールキー４２ｂは数字ボタン“９”
（あるいは数字ボタン“６”）に該当するように設定しても良い。即ち、２個のコントロールキー４２ａ，４２ｂは本体１２の長手方向またはそれと直角方向のいずれかの方向に平行に配置するように設定する。
【００２９】
図１３に示すように、本体１２において、コントロールキー４２ａの裏側には押圧用コントロールキー４４ａが固定され、コントロールキー４２ｂの裏側には押圧用コントロールキー４４ｂが固定される。これら押圧用コントロールキー４４ａ，４４ｂは、コントロールキー４２ａ，４２ｂと比べて高さが低く、横方向の長さを短くする（面積を狭くする）のが望ましい。
【００３０】
次に、ボタン操作補助手段４０をボタン操作補助手段１０と共に携帯電話２０に取付けて、携帯電話２０でゲームを行う場合を図１４に基づいて説明する。ボタン操作補助手段１０は、メニューボタン２２と４接点ボタン２４とを覆うように携帯電話２０に取付け、中央コントロールキー１６がメニューボタン２２に合致し、上部コントロールキー１８ａと下部コントロールキー１８ｂと左側コントロールキー１８ｃと右側コントロールキー１８ｄとの４個のキーの全てが４接点ボタン２４と合致するように設定する。ボタン操作補助手段４０は、コントロールキー４２が数字ボタン“５”に合致し、コントロールキー４４は数字ボタン“０”に合致するように携帯電話２０に取付ける。この状態では、ボタン操作補助手段１０の５個のコントロールキーはゲーム機の十字キー(５個の操作キー)として機能し、ボタン操作補助手段４０の２個のコントロールキー４２ａ，４２ｂはゲーム機の左側操作キー並びに右側操作キーとして機能する。
【００３１】
図１４に示すものでは、携帯電話２０に取付けたボタン操作補助手段１０を左側に配置し、携帯電話２０に取付けたボタン操作補助手段４０を配置した状態となり、一般のゲーム機のように十字キーを相対的に左側に配置すると共に左側操作キー及び右側操作キーを相対的に右側に配置したものと同じとなる。更に、携帯電話２０の表示画面４６は横方向に長い横型に配置される。このため、画面も各種操作キーもゲーム機と同様な配置となり、横に長い画面のゲーム（ゲームの画面は一般に横に長いものである）を携帯電話２０に提供とが可能になり、従来のゲーム機と同じ感覚でゲームを楽しむことができる。なお、携帯電話２０の表示画面４６を縦型（ゲームの画面が縦方向に長いもの）にして使用する場合には、ボタン操作補助手段４０の２個のコントロールキー４２ａ，４２ｂを、数字ボタン“７”と“９”、あるいは数字ボタン“４”と“６”に合致するように設定すれば良い。なお、ボタン操作補助手段１０の本体１２とボタン操作補助手段４０の本体１２とを合体して、１つのボタン操作補助手段１０としても良い。
【図面の簡単な説明】
【００３２】
【図１】本発明に係る携帯電話用ボタン操作補助手段の一実施例を示す正面図である。
【図２】図１の背面図である。
【図３】図１のＡ−Ａ線断面図である。
【図４】図１の携帯電話用ボタン操作補助手段の一対の取付け手段を互いに取付けた状態を示す組立て図である。
【図５】携帯電話の部分正面図である。
【図６】図１の携帯電話用ボタン操作補助手段を携帯電話に取付けた状態を示す正面図である。
【図７】図１の携帯電話用ボタン操作補助手段を携帯電話のストラップとして使用した状態を示す斜視図である。
【図８】本発明に係る携帯電話用ボタン操作補助手段の他の実施例を示す正面図である。
【図９】図８の要部背面図である。
【図１０】図９のＢ−Ｂ線断面図である。
【図１１】図８の携帯電話用ボタン操作補助手段を携帯電話に取付けた状態を示す正面図である。
【図１２】本発明に係る携帯電話用ボタン操作補助手段のその他の実施例を示す正面図である。
【図１３】図１２のＣ−Ｃ線断面図である。
【図１４】図１の携帯電話用ボタン操作補助手段と図１２の携帯電話用ボタン操作補助手段とを携帯電話に取付けた状態を示す正面図である。
【符号の説明】
【００３３】
１０  携帯電話用ボタン操作補助手段
１２  本体
１４ａ  取付け手段
１４ｂ  取付け手段
１６  中央コントロールキー
１８ａ  上部コントロールキー
１８ｂ  下部コントロールキー
１８ｃ  左側コントロールキー
１８ｄ  右側コントロールキー
１９  保持用ストラップ
２２  メニューボタン
２４  ４接点ボタン
２８  中央押圧用コントロールキー
３０ａ  上部押圧用コントロールキー
３０ｂ  下部押圧用コントロールキー
３０ｃ  左側押圧用コントロールキー
３０ｄ  右側押圧用コントロールキー
３２  携帯電話用ボタン操作補助手段
３４ａ  上部コントロールキー
３４ｂ  下部コントロールキー
３４ｃ  左側コントロールキー
３４ｄ  右側コントロールキー
３８ａ  上部押圧用コントロールキー
３８ｂ  下部押圧用コントロールキー
３８ｃ  左側押圧用コントロールキー
３８ｄ  右側押圧用コントロールキー
４０  携帯電話用ボタン操作補助手段
４２ａ  コントロールキー
４２ｂ  コントロールキー
４４ａ  押圧用コントロールキー
４４ｂ  押圧用コントロールキー
【図１】
2006262431.tif 000003
【図２】
2006262431.tif 000004
【図３】
2006262431.tif 000005
【図４】
2006262431.tif 000006
【図５】
2006262431.tif 000007
【図６】
2006262431.tif 000008
【図７】
2006262431.tif 000009
【図８】
2006262431.tif 000010
【図９】
2006262431.tif 000011
【図１０】
2006262431.tif 000012
【図１１】
2006262431.tif 000013
【図１２】
2006262431.tif 000014
【図１３】
2006262431.tif 000015
【図１４】
2006262431.tif 000016